(57)【特許請求の範囲】
【請求項１】
根菜をすりおろす根菜おろし器において、
Ｌ字状のハンドル（１）であって、ハンドルの第１の端に対して、ハンドルの第２の端を中心として回転運動するハンドル（１）と、
ハンドル（１）の第２の端に対して、前記回転運動の中心軸方向を長手方向として、固定的に取り付けられた送りおねじ（２−１）と、
送りめねじ（２−２）を中心に備えており、送りおねじ（２−１）を当該送りめねじ（２−２）に挿入し且つ貫通させた上盤（２−３）と、
送りおねじ（２−１）におけるハンドル（１）と反対の端に、当該端を回転中心として固定的に取り付けられた回転盤（４）と、
回転運動をする回転盤（４）の周囲を支える軸受盤（５−１）と、
回転盤（４）の中心以外の位置に偏心して取り付けられたユニバーサルジョイント（４−１）と、
ユニバーサルジョイント（４−１）に一方の端を連結する棒状の連結部材（６−２）と、
一方の面におろし刃を有し、他方の面の中心に連結部材（６−２）の他方の端を連結する円盤（６−１）と、
中央に穴を有し、当該穴に連結部材（６−２）を貫通させる固定盤（５−２）と、
円盤（６−１）の傾斜下側の円状軌跡に沿ってドーナッツ形状をした受皿（３−１）であって、その中央の穴の部分に根菜を置くことによって、根菜に対して円盤（６−１）が斜めに接触し、円盤（６−１）の底面のおろし刃によってすりおろされた根菜が、円盤（６−１）の底面の傾斜を伝って受け入れられる受皿（３−１）と、
受皿（３−１）を載せるべき下盤と、
上盤（２−３）と、長手の連結部材（５−３）によって外縁部分が固定された軸受盤（５−１）及び固定盤（５−２）と、下盤とについて、これら全ての盤の中心が送りおねじ（２−１）の伸長方向に一致するように並べるための長手のガイド（３−２）であって、上盤（２−３）及び下盤における外縁部分を固定すると共に、軸受盤（５−１）及び固定盤（５−２）における外縁部分を貫通するガイド（３−２）と
を有することを特徴とする根菜おろし器。
【請求項２】
固定盤（５−２）の中央に設けられた穴（ハウジング）の内側には、自動調心玉軸受（５−４）が取付けられており、穴の外輪の軌道面が球面であってその曲率中心が軸受中心とを一致し、自動調心玉軸受（５−４）は、傾斜したままの連結部材（６−２）を穴の中心で回転させることを特徴とする請求項１に記載の根菜おろし器。
【請求項３】
固定盤（５−２）に対する連結部材（６−２）の傾斜角度（偏心距離）を変更できるように、回転盤（４）に対するユニバーサルジョイント（４−１）の取り付け位置を、当該回転盤（４）の半径方向にをスライドさせるスライド機構（４−２）を更に有し、
連結部材（６−２）に取り付けられた円盤（６−１）のおろし刃の底面と、根菜との接触角度を変更させることを特徴とする請求項１又は２に記載の根菜おろし器。
【請求項４】
送りねじユニット（２）の送りおねじ（２−１）は、ハンドル（１）から取り外し可能となっており、
送りねじユニット（２）の送りめねじ（２−２）は、上盤（２−３）から取り外し可能となっており、
送りおねじ（２−１）及び送りめねじ（２−２）の組毎に、ねじのピッチが異なっており、
送りおねじ（２−１）及び送りめねじ（２−２）を共に交換することによって、ねじのピッチが変更され、ハンドル（１）を一回転した時の円盤（６−１）の下降量が変更され、円盤（６−１）と根菜の接触圧力が変更されることを特徴とする請求項１から３のいずれか１項に記載の根菜おろし器。
【発明の詳細な説明】
【技術分野】
【０００１】
本発明は、根菜をすりおろす根菜おろし器に関する。
【背景技術】
【０００２】
従来、大根や野菜等を労力と時間をかけずにすりおろせる大根おろし器がある（例えば特許文献１参照）。この技術によれば、人手によって把持されるハンドルと、大根を固定するための上皿とが固定的に連結している。一方で、穴が空いたおろし金と、その下に受皿とが配置される。大根は、上皿とおろし金との間に挟まれた状態で、上皿の回転によって、すりおろされる。
【先行技術文献】
【特許文献】
【０００３】
【特許文献１】特開平８−７１００９号公報
【発明の概要】
【発明が解決しようとする課題】
【０００４】
しかしながら、特許文献１のような従来技術によれば、根菜の繊維方向に対して直角におろし金が接触する。そのため、すりおろされた根菜には、繊維がほとんど残らないようになる。即ち、繊維方向に長くすりおろすことができない。
【０００５】
また、すりおろされた根菜は、根菜とおろし金との接触圧力を変更できないために、肌理の細かさが一定となる。そのために、主観的な好みに応じて、すりおろされた根菜の肌理の細かさを調整することもできない。
【０００６】
そこで、本発明は、根菜の繊維方向に長くすりおろすことができ、すりおろされた根菜肌理の細かさも変更することができる根菜おろし器を提供することを目的とする。
【課題を解決するための手段】
【０００７】
本発明によれば、根菜をすりおろす根菜おろし器において、
Ｌ字状のハンドル（１）であって、ハンドルの第１の端に対して、ハンドルの第２の端を中心として回転運動するハンドル（１）と、
ハンドル（１）の第２の端に対して、前記回転運動の中心軸方向を長手方向として、固定的に取り付けられた送りおねじ（２−１）と、
送りめねじ（２−２）を中心に備えており、送りおねじ（２−１）を当該送りめねじ（２−２）に挿入し且つ貫通させた上盤（２−３）と、
送りおねじ（２−１）におけるハンドル（１）と反対の端に、当該端を回転中心として固定的に取り付けられた回転盤（４）と、
回転運動をする回転盤（４）の周囲を支える軸受盤（５−１）と、
回転盤（４）の中心以外の位置に偏心して取り付けられたユニバーサルジョイント（４−１）と、
ユニバーサルジョイント（４−１）に一方の端を連結する棒状の連結部材（６−２）と、
一方の面におろし刃を有し、他方の面の中心に連結部材（６−２）の他方の端を連結する円盤（６−１）と、
中央に穴を有し、当該穴に連結部材（６−２）を貫通させる固定盤（５−２）と、
円盤（６−１）の傾斜下側の円状軌跡に沿ってドーナッツ形状をした受皿（３−１）であって、その中央の穴の部分に根菜を置くことによって、根菜に対して円盤（６−１）が斜めに接触し、円盤（６−１）の底面のおろし刃によってすりおろされた根菜が、円盤（６−１）の底面の傾斜を伝って受け入れられる受皿（３−１）と、
受皿（３−１）を載せるべき下盤と、
上盤（２−３）と、長手の連結部材（５−３）によって外縁部分が固定された軸受盤（５−１）及び固定盤（５−２）と、下盤とについて、これら全ての盤の中心が送りおねじ（２−１）の伸長方向に一致するように並べるための長手のガイド（３−２）であって、上盤（２−３）及び下盤における外縁部分を固定すると共に、軸受盤（５−１）及び固定盤（５−２）における外縁部分を貫通するガイド（３−２）と
を有することを特徴とする。
【０００８】
本発明の根菜おろし器における他の実施形態によれば、固定盤（５−２）の中央に設けられた穴（ハウジング）の内側には、自動調心玉軸受（５−４）が取付けられており、穴の外輪の軌道面が球面であってその曲率中心が軸受中心とを一致し、自動調心玉軸受（５−４）は、傾斜したままの連結部材（６−２）を穴の中心で回転させるものであってもよい。
【０００９】
本発明の根菜おろし器における他の実施形態によれば、
固定盤（５−２）に対する連結部材（６−２）の傾斜角度（偏心距離）を変更できるように、回転盤（４）に対するユニバーサルジョイント（４−１）の取り付け位置を、当該回転盤（４）の半径方向にをスライドさせるスライド機構（４−２）を更に有し、
連結部材（６−２）に取り付けられた円盤（６−１）のおろし刃の底面と、根菜との接触角度を変更させるものであってもよい。
【００１２】
本発明の根菜おろし器における他の実施形態によれば、
送りねじユニット（２）の送りおねじ（２−１）は、ハンドル（１）から取り外し可能となっており、
送りねじユニット（２）の送りめねじ（２−２）は、上盤（２−３）から取り外し可能となっており、
送りおねじ（２−１）及び送りめねじ（２−２）の組毎に、ねじのピッチが異なっており、
送りおねじ（２−１）及び送りめねじ（２−２）を共に交換することによって、ねじのピッチが変更され、ハンドル（１）を一回転した時の円盤（６−１）の下降量が変更され、円盤（６−１）と根菜の接触圧力が変更されるものであってもよい。
【発明の効果】
【００１３】
本発明の根菜おろし器によれば、ユニバーサルジョイントを用いることによって、根菜の繊維方向に対しておろし金がある一定の角度を持った状態で、根菜をすりおろすことができる。即ち、すりおろされた根菜の繊維は、従来技術に基づく根菜おろし器に比べて、長くすりおろすことができる。
【００１４】
また、本発明によれば、おろし金ユニットの下降量を変更することができるので、根菜とおろし金との接触圧力を変更できる。これは、好みに応じてすりおろされた根菜の肌理の細かさを調整することができる。
【００１５】
更に、自動調心玉軸受を用いることによって、労力と時間をかけずに根菜類をすりおろすことができる。
【図面の簡単な説明】
【００１６】
【図１】本発明に係る根菜おろし器の前面視図である。
【図２】本発明に係る根菜おろし器の上方斜視図である。
【図３】本発明に係る根菜おろし器の下方斜視図である。
【図４】自動調心玉軸受部の斜視図である。
【図５】円盤ドーナッツ形状の受皿の斜視図である。
【図６】おろし金の刃の形状を示す斜視図である。
【発明を実施するための形態】
【００１７】
以下、本発明の実施の形態について、図面を用いて詳細に説明する。
【００１８】
図１は、本発明に係る根菜おろし器の前面視図である。
図２は、本発明に係る根菜おろし器の上方斜視図である。
【００１９】
本発明に係る根菜おろし器によれば、ハンドル（１）は、駆動源であって、一定方向（例えば時計回り）に回転させるものである。ハンドル（１）は、人手によって把持され回転させるものであってもよいし、モータのような動力源に連結されたものであってもよい。ハンドル（１）は、送りおねじ（２−１）に対して、連結部材を介して固定的に接続される。ハンドル（１）は、連結部材の一方の端に、ほぼ垂直に取り付けられる。また、送りおねじ（２−１）、その連結部材の他方の端に、ほぼ垂直に取り付けられる。
【００２０】
送りおねじ（２−１）は、根菜おろし器の中心軸に位置する。ハンドル（１）を回転させることによって、送りおねじ（２−１）が回転するように動作する。
【００２１】
根菜おろし器の上部には、送りねじユニット（２）が備えられる。送りねじユニット（２）の上部には、送りめねじ（２−２）を中心に備えた上盤（２−３）が配置される。そして、送りおねじ（２−１）は、送りめねじ（２−２）と噛み合うように挿入される。これによって、ハンドル（１）の回転運動を、上下運動へ変換することができる。
【００２２】
一方で、根菜おろし器の下部には、下盤（受皿設置部（３−１））が配置され、その下盤は、ガイド（３−２）を介して上盤（２−３）と連結される。これによって、上盤（２−３）と下盤（受皿設置部（３−１））とが一体化し、根菜おろし器の外枠（３）を構成する。下盤は、受皿設置部として構成されており、その受皿設置部（３−１）に、受皿を載せることができる。受皿（３−１）は、根菜を固定的に設置することができる構造を持ち、例えば大根の場合、直立に固定することができる。
【００２３】
また、図１によれば、ガイド（３−２）は、３本の長手方向に伸長した円柱によって構成されている。これによって、ハンドル（１）は、ガイド（３−２）により連結された上盤（２−３）と相対的に回転させる。
【００２４】
図３は、本発明に係る根菜おろし器の下方斜視図である。
【００２５】
図３によれば、上盤（２−３）の下部には、回転盤（４）が配置されている。回転盤（４）の周囲には、それを支える軸受盤（５−１）が構成されている。軸受盤（５−１）は、ガイドに結合され、外形を構成する。回転盤（４）には、送りおねじ（２−１）の下端が固定されている。これによって、送りおねじ（２−１）の回転運動はそのまま、回転盤（４）の円運動につながる。また、送りおねじ（２−１）の上下運動はそのまま、回転盤（４）の上下運動につながる。
【００２６】
また、回転盤（４）の下面（送りおねじ（２−１）と反対の面）には、ユニバーサルジョイント（４−１）が偏心して取付けられている。これによって、送りおねじ（２−１）の回転運動を円運動に変換することができる。
【００２７】
「ユニバーサル-ジョイント(universal joint)」とは、一般に「自在継ぎ手」と称される。「ユニバーサルジョイント」は、接続すべき２軸の軸端に、二又（ホークエンド＝端末がフォーク状に二又になっている）を設ける。そして、それぞれの軸を１個の十字形部品の直交する２軸と回り対遇を用いて、接続したものである。接続された２軸は、必ずしも一直線上にあることを必要としない。即ち、ある角度で交わる向きにあっても、動力を伝達することができる。
【００２８】
ユニバーサルジョイント（４−１）は、おろし金ユニット（６）に接続する。おろし金ユニット（６）は、底面におろし刃を有する円盤（６−１）と、棒状の連結部材（６−２）とから構成される。連結部材（６−２）の一端は、ユニバーサルジョイント（４−１）に接続され、他端は、円盤（６−１）の上面に接続する。おろし金ユニット（６）の連結部材（６−２）は、固定盤（５−２）の中央穴を貫通するように配置される。
【００２９】
従動ユニット（５）は、軸受盤（５−１）と固定盤（５−２）とを、連結部材（５−３）により一定の間隔に固定して構成される。そして、軸受盤（５−１）と固定盤（５−２）とには、外枠（３）のガイド（３−２）が貫通する。
【００３０】
図２によれば、ユニバーサルジョイント（４−１）は、回転盤（４）の半径方向へのスライド機構（４−２）を備えている。スライド機構（４−２）によってユニバーサルジョイント（４−１）の偏心距離を変更することができる。これによって、おろし刃を有する円盤（６−１）と、根菜との接触角度を変えることができる。
【００３１】
尚、他の実施形態として、送りおねじ（２−１）及び送りめねじ（２−２）を共に交換することができることも好ましい。送りねじユニット（２）の送りおねじ（２−１）は、ハンドル（１）から取り外し可能となっている。同様に、送りねじユニット（２）の送りめねじ（２−２）も、上盤（２−３）から取り外し可能となっている。送りおねじ（２−１）及び送りめねじ（２−２）の組毎に、ねじのピッチが異なる。これによって、ねじのピッチが変更され、ハンドル（１）を一回転した時のおろし金ユニット（６）の下降量が変更され、おろし金ユニット（６）と根菜の接触圧力が変更される。
【００３２】
図４は、自動調心玉軸受部の斜視図である。
【００３３】
図４によれば、ガイド（３−２）が貫通する固定盤（５−２）の中央に、自動調心玉軸受（５−４）が取付けられている。自動調心玉軸受（５−４）には連結部材（６−２）が貫通している。これによって、自動調心玉軸受（５−４）が、連結部材（６−２）の回転を補助することができる。
【００３４】
「自動調心玉軸受」とは、軸とハウジングの芯合わせが難しい場合の用途に適している。図４によれば、連結部材（６−２）と固定盤（５−２）との間の芯合わせは難しい。自動調心玉軸受は、外輪の軌道面が球面で、曲率中心が軸受中心と一致する。そのため、内輪、玉、保持器の軸が、軸受中心の周りを自由に回転できるという調心性がある。
【００３５】
図５は、円盤ドーナッツ形状の受皿の斜視図である。
【００３６】
図５によれば、根菜おろし器の下盤（受皿設置部（３−１））に、受皿が配置される。受皿（３−１）は、円盤ドーナッツ形状をしており、中央の穴の部分に根菜が直立に固定される機構を有し、根菜がすりおろされたものがおろし金ユニット（６）を伝って受皿（３−１）へと集まるようになっている。
【００３７】
図６は、おろし金の刃の形状を示す斜視図である。
【００３８】
図６によれば、上面が連結部材（６−２）の他端に固定される円盤（６−１）の下面は、おろし刃が中央から波紋状に均等に取付けられた構造になっている。
【００３９】
以上、詳細に説明したように、本発明の根菜おろし器によれば、ユニバーサルジョイントを用いることによって、根菜の繊維方向に対しておろし金がある一定の角度を持った状態で、根菜をすりおろすことができる。即ち、すりおろされた根菜の繊維は、従来技術に基づく根菜おろし器に比べて、長くすりおろすことができる。
【００４０】
また、本発明によれば、おろし金ユニットの下降量を変更することができるので、根菜とおろし金との接触圧力を変更できる。これは、好みに応じてすりおろされた根菜の肌理の細かさを調整することができる。
【００４１】
更に、自動調心玉軸受を用いることによって、労力と時間をかけずに根菜類をすりおろすことができる。
【００４２】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００４３】
１  ハンドル
２  送りねじユニット
２−１  送りおねじ
２−２  送りめねじ
２−３  上盤
３  外枠
３−１  受皿
３−２  ガイド
４  回転盤
４−１  ユニバーサルジョイント
４−２  スライド機構
５  従動ユニット
５−１  軸受盤
５−２  固定盤
５−３  連結部材
５−４  自動調心玉軸受
６  おろし金ユニット
６−１  円盤
６−２  連結部材
【要約】
【課題】根菜の繊維方向に長くすりおろすことができ、すりおろされた根菜の肌理の細かさも変更することができる根菜おろし器を提供する。
【解決手段】根菜おろし器は、ハンドル１に取付けられた送りおねじ２−１と中央に送りめねじ２−２を有する上盤２−３で構成される送りねじユニット２と、受皿３−１と上盤２−３がガイド３−２で連結された外枠３と、ユニバーサルジョイント４−１が偏心して取付けられて送りおねじ２−１の下端に固定された回転盤４と、回転盤４に支えられた軸受盤５−１と固定盤５−２が連結部材５−３により一定の間隔に固定されており、ガイド３−２が貫通する従動ユニット５と、一端をユニバーサルジョイント４−１に接続する連結部材６−２の他端に底面におろし刃を有する円盤６−１が固定されるおろし金ユニット６を有する。
【選択図】図２【図１】
0004838391.tif 000002
【図２】
0004838391.tif 000003
【図３】
0004838391.tif 000004
【図４】
0004838391.tif 000005
【図５】
0004838391.tif 000006
【図６】
0004838391.tif 000007